(57)【特許請求の範囲】
【請求項１】
温室およびバイオリアクターからなり、該バイオリアクターは、加熱手段および攪拌機を備え、湿潤状態のバルク状バイオマスを空気の存在下に高度好熱菌によって分解再合成させ、生成した炭酸ガスを含む排気の少なくとも一部を前記温室内に供給するようにし、少なくとも間欠的に前記湿潤状態のバルク状バイオマスを新たに供給しながら前記分解再合成を行わせるようにした装置において、おが屑、落ち葉など湿潤空気によって発酵し、堆肥となる前記バイオマスを充填した蓄熱装置を設け、前記バイオリアクターを出た排気を、前記蓄熱装置内を通過させ、前記発酵する際の熱で前記排気および前記温室を暖め得るようにしたバイオリアクターを備えた温室。
【請求項２】
脱臭器および前記蓄熱器の少なくともいずれかを収容する保温室を設け、該保温室は、太陽光を該保温室内に取り入れる透明板または透明フィルムを、該保温室の屋根および壁面の少なくとも一部に取り付け、且つ該保温室内の温められた空気を、前記温室および前記バイオリアクターに循環供給できるようにした請求項１記載のバイオリアクターを備えた温室。
【発明の詳細な説明】
【０００１】
【発明の属する技術分野】
本発明は、バイオリアクター付き温室に関し、更に詳細には、バイオマスを高度好熱菌により分解再合成させるバイオリアクターと温室とを組み合わせた装置であって、生ごみなどのバイオマスを肥料化し、且つ発生する炭酸ガス、熱を温室内の植物の生育に利用するようにして、物質循環に有効な貢献し得る装置に関するものである。
【０００２】
【従来の技術】
観賞用または生産用の各種植物を育てるのに温室が使用されていること、また農家などでは従来、落ち葉、藁、馬糞など発酵性の廃物を土に鋤き込み、土中の微生物による有機質肥料化と、その際発生する発酵熱を利用して苗などの促成栽培をする温床が用いられていたことは知られている。
【０００３】
また地球内における物質は有限であり、有史以来人口の急激な膨張による各種の弊害が発生し、循環型社会への移行が各地で試みられている。
【０００４】
【発明が解決しようとする課題】
ところで、周知のように都市化が進むと共に家庭やレストランなどから出る生ゴミ対策が行政上の重要課題になって来ており、その処理手段が、従来から各種提案され、また実際に実施することが試みられ、その結果微生物により容積を減少させながら肥料化して再利用を図る方向に集約される指向にあると認識される。
【０００５】
本発明者は、かつて流し台で発生した生ゴミをシンクの下で圧縮・脱水して生乾き状にし、廃棄する際の腐敗を抑制するプロジェクトに参加し、その後に独自に検討を重ね、生ゴミ容積をほぼ２０〜５０％にまで圧縮できる装置（特許第２１２０６５３号）を開発した。しかしながらこの圧縮物は、このままでは焼却または埋め立てするしかないものであった。
【０００６】
そこで本発明者は、前記圧縮・脱水物が微生物の繁殖に適していることに着目し、微生物反応により生ゴミを肥料化する検討を独自に開始した。その結果、土壌中に通常休眠状態で僅かに存在する高度好熱菌（７０℃以上の温度で増殖する菌、中には２００℃以上でも増殖する菌がある）を、例えば７０〜８５℃の温度に保持した生ゴミ中で培養すると、生ゴミ中の窒素分など、有機物分子を高度好熱菌の遺伝子情報により無機質レベルにまで分解再合成させ得ることを見出し、バイオマス分解再合成方法およびその装置（以下バイオリアクターという）として平成１３年６月１５日に特許出願した。
【０００７】
この高度好熱菌による生ゴミ処理方法は、一般家庭で出る生ゴミの場合、流し台の下の空間に収まる小型の装置で処理し、２〜４ヶ月程度の間に、水分が付着した生ゴミ容積を３〜５％にまで減容させ、且つ腐敗菌などの雑菌を含まず、無機化しやすい有機質肥料とすることができるという特徴がある。
【０００８】
前記バイオリアクターは、高度好熱菌を増殖させるために加温する必要があり、また生ゴミも分解再合成反応の進行に伴い発熱するので温度管理をする必要があるが、オンオフ制御程度の簡単な制御手段で、ほぼ完全な自動運転が可能である。
【０００９】
以上のような特徴のあるバイオリアクターを温室と結び付けることにより、生ゴミを一切外部に廃棄しないで、発生する熱、炭酸ガス等、肥料を利用して清潔な無農薬野菜を自給することが可能であることが考えられた。
【００１０】
即ち本発明の目的は、前記バイオリアクターを大型厨房から出る生ゴミ処理のような大型のものから一般家庭用の小型のものまで利用可能で、発生した生ゴミを全て肥料として野菜を栽培し、 生ゴミを廃棄しないようにし、循環型システムを培養、栽培などにより実践し得るバイオリアクターを備えた温室を提供することにある。
【００１１】
【課題を解決するための手段】
以上の目的を達成するための本発明のバイオリアクターを備えた温室は、温室およびバイオリアクターからなり、該バイオリアクターは、加熱手段および攪拌機を備え、湿潤状態のバルク状バイオマスを空気の存在下に高度好熱菌によって分解再合成させ、生成した炭酸ガスを含む排気の少なくとも一部を前記温室内に供給し、前記攪拌機は、攪拌軸方向を向く送りと、半径方向を向く送りとを行う攪拌羽根を設けており、該バイオリアクター内を前記回転軸方向及び該軸と交差する方向に緩い速度で前記バイオマスを循環させると共に、該バイオリアクター内に、前記加熱手段に近い部分に生じる高温部分と、供給される前記空気に接する低温部分とを生じさせ、少なくとも間欠的に前記湿潤状態のバルク状バイオマスを新たに供給しながら前記分解再合成を行わせるようにしたものである。
【００１２】
本発明において高度好熱菌とは、前記高度好熱菌が、土壌を採取し、おが屑などのバルク状バイオマスに混入して７０℃以上、好ましくは８５℃またはそれ以上の高温に保持することにより、前記土壌中に存在する菌群中、生き残ることのできる菌を意味する。
前記土壌は、何処で採取したものでもよいが、通常落ち葉の下など肥沃な土壌から採取したものが好ましいと思われる。また前記殺菌処理をする土壌菌（前記土壌中の菌）は、採取したまま添加してもよいが、おが屑などの木材チップ、ピートモスなどの担体に移したものは、周囲を汚さないなどの点で好ましい。なお、土壌菌内に含まれる高度好熱菌の菌株は、バイオマスを分解再合成反応を行うＤＮＡプログラムを備えたものであれば、どのような種類のものであってもよい。
【００１３】
本発明に使用する前記バイオマスには特に限定はないが、例えば調理屑、食事などの残滓などの生ゴミ、畑、集荷場などで切り落とされたり選別落ちしたりした農産物屑、家畜や魚などの解体残滓、家畜の糞などである。但し本発明の対象はこれに限定されるものではなく、高度好熱菌に必要な栄養バランスを欠いたバイオマスに適用することもできる。この場合、高度好熱菌の生存率が低下するなどの問題が生じるときには不足する栄養を補給することが好ましい。その点栄養的にバランスの取れた献立から出る生ゴミは、菌に対する栄養バランスも満たしうると考えることができる。
【００１４】
本発明において温室とは、ガラスの外、ポリカーボネート、ビニールなどの合成樹脂板又はシートなどで空間を区画した中で植物を育てる、いわゆる通常的な意味での温室の外、ビニ―ルハウスのような簡易温室、住宅などと併設した温室、サンルームなど、住宅、ビルの屋上などの一部に太陽光が十分差し込むようにした部屋、比較的急勾配の一般住宅などの屋根の一部をガラス屋根とした屋根裏部屋や、ベランダ、 テラスなどに作った仮設的なものも含まれる。
【００１５】
高度好熱菌による分解再合成反応は、当然空気を必要とする。したがってバイオリアクターには新鮮な空気を供給する必要がある。そのバイオリアクターに供給する空気として、全供給空気の少なくとも一部に温室内の空気を取り込み、特に寒冷期の電力節約、加温経費節約を図ることができる。
【００１６】
前記温室内に供給する前記排気には、バイオマスとして生ゴミを投入した直後や、特に臭いのきつい生ゴミなどを使用した場合はもとより、一般に前記例示のバイオマスにある特有の臭いや、分解再合成の過程で発生する臭いが着く場合がある。そこで、排気ガスは、脱臭してから温室に供給するようにすることができる。
【００１７】
前記脱臭方法には特に限定はなく、例えばオゾンなどによる化学的方法の外、活性炭、木炭、その他の多孔質体、例えば軽石、珪藻土、おが屑なども使用することができる。またアンモニア臭などは酸性液上を通過させることにより取り除くことができる。なお、ごく僅かな臭いに対しては香料による臭い付けも有効な場合もある。
【００１８】
温室は寒冷期など暖房を必要とし、また前記説明のとおり、本発明のバイオリアクターは、内容物のバイオマスの一部を部分的に７０℃以上、好ましくは８５℃以上に昇温させておくため加熱手段を必要としている。そのため排気温度を更に高い温度に保つ蓄熱装置をバイオリアクターと温室との間に配置し、 蓄熱装置を通過させた後バイオリアクタおよび温室に供給するようにすることができる。
【００１９】
また前記脱臭剤として固体を使用する場合には、蓄熱装置と類似の構造体とすることができる。したがって、脱臭装置と蓄熱装置とを一体とし、設置面積を小さくするために縦型とすることができる。
【００２０】
そして蓄熱装置は、おが屑、落ち葉など湿潤空気によって発酵し、堆肥となるバイオマスを充填し、この充填層の中をバイオリアクターを出た排気を通過させ、前記充填物が発酵する熱で排気および温室を暖め得ることができる。
【００２１】
即ち、本発明のバイオリアクターおよび蓄熱装置の少なくともいずれか一つから放散する熱によって温室内の空気を暖めうるようにし、前記温室内気温が低下した際の暖房用に使用することができる。この場合の具体的方法として、 温室内にバイオリアクターおよび蓄熱装置を配置する余裕のある温室では、温室内に設備し、 カーテン、可動式仕切りなどを使用して暖房不要時には、温室に供給する排気中に含まれる余分の熱が植物栽培領域に伝わらないようにすることができる。
【００２２】
更に、 温室の傍らにバイオリアクター、脱臭装置および蓄熱装置を内装した小屋または容器のようなもの（保温室）を設置し、蓄熱装置を出た排気、 バイオリアクターに供給する温室内空気は、配管などにより供給するようにすることができる。また、脱臭装置および蓄熱装置は電熱器などによる加熱もできる。
【００２３】
バイオリアクターに新たに供給するバイオマスが生ゴミの場合、 付着水のままの状態で投入しても、最初の内は１日でほぼ１／２減容し、１０日でほぼ１／５に減容し、最終的にほぼ３〜５％の容積に減容する。したがって、生ゴミは、業務用の場合でも食事時間のサイクルで発生するため、バイオマスの供給は一般に間歇的に行われる。それに対し取り出しは、前記のとおり最終的減容率が極めて高いので、オーバーフローさせるようにすることから、反応室が満杯となるまで滞留させるなど各種の方法で実施できる。
【００２４】
また、本発明の高度好熱菌によりバイオマスの分解再合成は、例えば、調理した魚の骨をそのままバイオリアクターに投入した場合、ほぼ１週間で原形がなくなるまで分解されることを確認している。しかしながら、バイオマスがバイオリアクター内に滞留する平均滞留時間を、３０日、好ましくは６０日、更に好ましくは９０〜１２０日となるようにする。減容の程度、肥料としての品質の求め方によって適宜滞留日数を選定できる。
【００２５】
しかしながら、温度低下、 特に加熱器の付近の温度が低下すると、 低温で増殖する雑菌が増殖するおそれが増し、 高度好熱菌の活性が低下する可能性が増大する。したがって、前記した特許第２１２０６５３号に開示した装置によって、生ゴミを圧縮脱水したのちバイオリアクターに投入することができる。
【００２６】
バイオリアクターに取り付ける攪拌機は、前記のとおり攪拌軸方向を向く送りと、半径方向を向く送りとを行う攪拌羽根を設けており、該バイオリアクター内を前記回転軸方向及び該軸と交差する方向に緩い速度で前記バイオマスを循環させると共に、反応の進行と共に一定方向に送りをかけると、処理を終わったバイオマスと処理中のバイオマスとを自然に分けることができる。
【００２７】
【発明の実施の形態】
以下添付の図面を参照する一実施の形態を示し、本発明を更に具体的に説明する。
【００２８】
図１に示す一実施の形態によるバイオリアクターを備えた温室１は、露地２に立てた温室３にバイオリアクター４を設けたものである。なお温室３内の熱が床３ａから外部に放散されないように、断熱材３ｂを使用している。また、図１に示す符号５はカーテン、６は換気用の天窓、７は換気扇、８は保温カーテン、９はプランター、１０はプランターラックである。
【００２９】
本実施の形態で使用したバイオリアクター４は、図２および３に示すように脱臭器１１および蓄熱器１２と組合せて使用した。なお脱臭器１１および蓄熱器１２は、図２に示すように重ねて保温室１３内に収容し、保温室１３と温室３とはシャッター13ａ付きの窓13ｂによって相互に連通するようにした。
【００３０】
バイオリアクター４は半円筒状の底部４ａを有し、円筒軸上に２個の回転軸１４を配置し、それぞれに横型の攪拌機15ａ、15ｂ（以下攪拌機を総称するときには単に符号１５によって表す）を配置した。
【００３１】
各攪拌機１５は、それぞれ軸方向と半径方向に送りを与える攪拌羽根15ｃを取り付けており、制御装置１６（図４）によって正回転・逆回転させ、バイオマス１７に、軸に並行方向の送りと、軸の周りを回転する送りとを与えて混合させながら、全体として図２に示す白抜矢印１８の方向に移動させるようにした。なお攪拌機15ａ、15ｂの駆動装置は、図４に示すように制御装置１６によって制御される電動機16ａ、16ｂによってそれぞれ独立して駆動するようにした。なお図４に示す符号15ｄは中間軸受、16ｃはそれぞれの回転軸１４に取り付けたスプロケットであり、２点鎖線で示す符号16ｄはスプロケット16ｃに取り付けたチェーンを表す。。なお図２に示す４ｂは断熱材、１５ｄは中間軸受けである。
【００３２】
新たなバイオマス（本実施の形態の場合は生ごみ）は、バイオリアクター４の天井からなる蓋１９（図２）に設けた投入口２０（図３）から投入するようにした。またその反対側には取出し口２１を設け、同様の蓋１９（同じ符号で表す）を設けている。
【００３３】
バイオリアクター４の底部４ａには電気ヒーターからなる面状の加熱装置２２（図２）を全面に配置し内部温度を所定温度に保てるようにしている。更に投入口２０側には生ごみが投入された際の温度低下を補うため発熱量を増強するようにすることもできる。その場合取出し口２１側から生ごみを投入しないように鍵その他で容易に蓋が開かないようにすることが推奨される。
【００３４】
高度好熱菌（図示せず）によりバイオマス１７の分解再合成反応には酸素の供給が必要である。そのため本実施の形態ではバイオリアクター４と前記脱臭器１１との間に排気管２３を接続し、バイオリアクター４から排出される排気（実質的には炭酸ガス含有量が僅かに増えた空気）２５を、脱臭器１１に導入し、蓄熱器１２から保温室１３内に排出され、保温室１３内から給気管２６に取り入れ、バイオリアクター４内に吸気するようにした。なお図２, ３に示す符号25ａは排気ファン、26ａは給気ファン、26ｂは給気管２６のフードである。
【００３５】
次に脱臭器１１および蓄熱器１２について説明する。脱臭器１１および蓄熱器１２は、いずれも同じ形のプラスチック製の底が浅い容器を積み上げたものであり、最下段の脱臭器１１は、排気管端部23ｂを二股状に加工し（図３）、下向きに複数の排出口11ａを開口し（図２）、脱臭器11内に充填した脱臭剤（図示せず）に排気２５を流通させ、蓄熱器１２の底面に開けた開口12ａ（図２）から蓄熱器１２内に流入させるようにした。
【００３６】
脱臭剤には活性炭、軽石などの他、おが屑（いずれも図示せず）などを使用することができる。おが屑などを使用した場合は、脱臭作用の外に、アンモニアなどの低分子化合物などの微生物による捕捉、そして微生物のＤＮＡ遺伝子複製作用による有機高分子に変換し、無機化しやすい有機質肥料に変換される。
【００３７】
なお脱臭器１１には、図２に示すようにドレンパイプ27ａおよびドレン捕集容器２７を設けている。これは、バイオリアクター４内のバイオマス17の上部空間は、新たに投入されたバイオマスの付着水分などの外、再合成（生合成）時の反応水が温められて蒸発するため、排気２５には水蒸気が多く含まれている。この水蒸気が排気管２３および脱臭器11の中で冷やされて結露した水を捕集するためのものである。
【００３８】
また図３示す排気ファン23ａおよび給気ファン26ａのバイオリアクター４側には、前記結露によるドレンを捕集するため、図５に示すよう排気管２３の内部に邪魔板23ｂを取り付け、その下にカップ27ｂを取り付けている（給気管２６も同様）。
【００３９】
蓄熱器１２は、内部に落ち葉（図示せず）などのバイオマスを充填したものであり、その中を水蒸気を含む暖かい排気２５の通過で落ち葉、その他のバイオマス中の微生物による捕捉、そして微生物ＤＮＡ遺伝子複製情報作用による有機高分子化により無機質化し易い有機質肥料となる。また保温室１３は、バイオリアクター４および脱臭器１１、蓄熱器１２から発生する炭酸ガスなどの温室効果ガスと太陽光の入射とによって内部温度が上昇し、蓄熱器１２を温めることができる。
【００４０】
したがって蓄熱器１２内では、昼間は前記微生物反応が加速され吸熱して平衡に達するまで蓄熱され、夜間には太陽光によるエネルギー供給が止まり、平衡に達するまで放熱して温室３を温めることができる。
【００４１】
温室３内の空気と炭酸ガス等の温室効果ガスとを含む排気２５とは保温室１３に取り付けた窓13ｂを通じて温室内空気と混ざり合い、保温室１３内の炭酸ガスの希釈と、温室３側への炭酸ガス供給およびバイオリアクター４内、脱臭器１１、蓄熱器１２に分配されることにより、それぞれの反応作用による効果を発揮し、それぞれの機器及び装置全体にエネルギーを蓄積する。また日中、または夏など温室内の温度が上昇した際はカーテン５を引いて保温室１３の周囲の熱が温室内に伝わりにくいようにすることができる。
【００４２】
上記説明のバイオリアクター４、脱臭器１１、蓄熱器１２、保温室１３などの形状および配置、それに伴う配管の仕方、ドレンを捕集するか放流するかなどは、本発明の本質を変更しない限り実際に即して任意の形態で実施することができる。
【００４３】
以上説明した温室３は、床面積約１００ｍ2 で、２枚のポリカーボネート板の間に空隙を設けて張り合わせた透明板で屋根および周囲壁面を形成した温室ないしサンルーム状のものを使用した。またバイオリアクターは、生ゴミ（庭の雑草も含む。この場合高度好熱菌の補給にもなる。）処理３ｋｇ／Ｄ、ピーク５ｋｇ／Ｄを目標に設計したもので、幅・長さ・全体高さがそれぞれ９６０・５８０・７００で、容積９０リットル、ヒーター容量３００Ｗ、消費電力１００Ｗ／ｈのステンレス製防滴型のものを使用した。脱臭機１１の容量は１００リットル、蓄熱器１２の容量は２００リットル、保温室１３の容積は１．３ｍ3 で、屋根および壁面は市販ガラス板で覆った。また、排気２５の脱臭器１１ー蓄熱器１２を通過する平均滞留時間が９０秒となるように設計した。
【００４４】
次に、バイオリアクター４の操作方法を説明する。先ずバイオリアクター４内におが屑など容易に入手できるバイオマスを充填し、これにできるだけ肥沃な土壌を採取し、バイオリアクター４内に投入する。本実施の形態において使用した土壌は、本発明者の住所に隣接する林の土壌を採取した。この際の量は特に限定はないが、余り少ないと高度好熱菌の増殖に時間が掛かり好ましくなく、前記容量のバイオリアクター４の場合、１ｋｇ程度が経験的に適当である。
【００４５】
次いで加熱装置２２をオンし、内容物の高温部分が 7０℃以上、好ましくは８５℃以上、低温部分が４０℃以上、含水率が１５〜３０％となるように管理する。バイオマス（この場合おが屑）の色は日増しに赤褐色から黒褐色に変化する。なお、前記おが屑は取り扱いに不潔感が無く容易に入手できるバイオマスとして使用したものであり、その他高度好熱菌を培養できるものであればよく、原理的には生ゴミであってもよい。
【００４６】
稼動準備ができたら処理対象のバイオマス（本実施の形態の場合は家庭で出る生ゴミ、取り除いた雑草など）を、平成１３年９月１２日から、原則として１日１回の割合で、適宜投入し現在も継続している。最近各部温度を測定した内の２日分のデータを表１に例示する。なお使用した温度計は各測定部に取り付けた棒状アルコール温度計を使用した。
【００４７】
【表１】
0004051958.tif 000002
表１に示すとおり、外気温度がー３〜 1０℃に対し温室内温度を明け方でも１４℃以上、日照時には最高３７℃に達することができる保温効果が得られることが分かった。したがって、生ゴミその他廃棄するしかないようなバイオマスから有用な肥料を製造すると共に発生する熱および炭酸ガスを温室３内に放出することで利用可能とすることができる。
【００４８】
なおプランター９内には別の温室で育てたホウレン草（図示せず）の外に、平成１４年１月５日にアブラナ、エンドウ豆、ホウレン草、ニラ、ワケギ、パセリ、アシタバを播種した。播種した種はその後１月１１日にアブラナが発芽した後、順次発芽がはじまり、最終的に６５〜９７％の発芽率で全てが発芽した。
【００４９】
図６に示す第２実施の形態によるバイオリアクターを備えた温室は１戸建の２階部分の一部を温室３に改造したものであり、実質的構成は図１に示した温室３と同様の構成としたので、同様の部材には同じ符号を付し説明を省略する。なお図６に示す符号３０は１階の壁、３１は１階の床、３２は１階部分の庇を兼ねる通路、３３はパラペットである。
【００５０】
以上説明の趣旨とは別に、前記バイオリアクターを単に減容機として利用することができる。その場合は完全防水型とし、攪拌機を傷める金属、食器や、高度好熱菌によって分解されないプラスチック類をより分けた生ゴミなどのバイオマスを投入し、少なくとも３０日程度反応させることにより容積を１０分の１以下に減容することができる。このものは、量が少なくなっているために、毎日廃棄する必要が無く、廃棄処理も容易になるので、からす対策も行いやすくなり、循環型社会環境を構築しにくい市街地の生ゴミ対策として有効であると考える。
【００５１】
この場合、冬季など外気温度が低く給気によるバイオリアクターの温度低下が起こる場合には、加熱装置の容量を大きくすることで対応できるが、別の方法として給気と排気とを交流させて熱交換を行わせることが有効であり、その際発生するドレンは蒸留水であるのでそのまま排出させることができる。
【００５２】
また虫対策としては開口部に小バエが通過しないような目の細かい網を張り、また猫対策としては近寄れないように金網などでガードすれば、不用意にこぼした生ゴミを漁るとか、冬バイオリアクターの上で暖を採るのを防止するなどの対策となる。
【００５３】
また間歇的に取り出し口を開けて減容した生ゴミ等を取り出すこともできるが、前記平成１３年６月１５日出願明細書図面に記載したように、オーバーフローセルに常時内容物の増加と共に処理済分を溢れ出させると、廃棄処理を行い易くすることができる。
【００５４】
【発明の効果】
以上説明したように本発明のバイオリアクターを備えた温室は、土壌中に存在する高度好熱菌を活性化させることにより、生ゴミ等のように従来廃棄処分するしかないバイオマスを肥料化しながら発生する熱および炭酸ガスを温室の暖房や植物の生育に利用することができという効果に止まらず、今後ますます要求の高まる循環型社会形成に貢献することができる。
【図面の簡単な説明】
【図１】本発明の第１の実施の形態によるバイオリアクターを備えた温室の縦断面図による概要説明図である。
【図２】図１に示すバイオリアクター、脱臭部および蓄熱部の縦断面図である。
【図３】図２の横断面図である。
【図４】図２, ３に示すバイオリアクター４の縦断面図である。
【図５】図３に示す排気ファン２５ａ部分の縦断面図である。
【図６】本発明の第２の実施の形態によるバイオリアクターを備えた温室の縦断面図による概要説明図である。
【符号の説明】
１    バイオリアクターを備えた温室
３    温室
４    バイオリアクター
１１  脱臭器
１２  蓄熱器
１３  保温室
１４  攪拌軸
15ａ  攪拌機
15ｂ  攪拌機
15ｃ  攪拌羽根
１７  バイオマス
２２  加熱手段
【図１】
0004051958.tif 000003
【図２】
0004051958.tif 000004
【図３】
0004051958.tif 000005
【図４】
0004051958.tif 000006
【図５】
0004051958.tif 000007
【図６】
0004051958.tif 000008